(57)【要約】【課題】不必要に駐車中の録画が行われることを抑えることができる車載カメラ制御装置を得る。【解決手段】録画不要場所が示された場所設定情報と、車両の現在位置情報とを用いて、録画不要場所に車両がいるか否かを判定する判定部１４ａと、判定部１４ａにより、録画不要場所に車両がいないと判定された場合に、カメラ部１２を用いた駐車中の録画が行われるように制御する一方、判定部１４ａにより、録画不要場所に車両がいると判定された場合には、カメラ部１２を用いた駐車中の録画が行われないように制御する録画制御部１４ｂとを備える。【選択図】図１
2018200612.tif 000002
【特許請求の範囲】
【請求項１】
車載カメラを用いた駐車中の録画を行わない録画不要場所が示された場所設定情報と、車両の現在位置情報とを用いて、前記録画不要場所に前記車両がいるか否かを判定する判定部と、
前記判定部により、前記録画不要場所に前記車両がいないと判定された場合に、前記車載カメラを用いた駐車中の録画が行われるように制御する一方、前記判定部により、前記録画不要場所に前記車両がいると判定された場合には、前記車載カメラを用いた駐車中の録画が行われないように制御する録画制御部とを備えることを特徴とする車載カメラ制御装置。
【請求項２】
前記判定部は、着脱可能な記録媒体から前記場所設定情報を取得することを特徴とする請求項１記載の車載カメラ制御装置。
【請求項３】
前記判定部は、前記車載カメラを用いた駐車中の録画を行わない録画不要時刻が示された時刻設定情報を用いて、現在が前記録画不要時刻であるか否かを判定し、
前記録画制御部は、前記判定部により、前記録画不要場所に前記車両がいると判定された場合かつ現在が前記録画不要時刻であると判定された場合に、前記車載カメラを用いた駐車中の録画が行われないように制御することを特徴とする請求項１または請求項２記載の車載カメラ制御装置。
【請求項４】
請求項１から請求項３のうちのいずれか１項記載の車載カメラ制御装置と、
前記場所設定情報の登録を受け付ける登録受付部とを備えることを特徴とするカーナビゲーション装置。
【請求項５】
車両の盗難場所が示された盗難場所情報を取得する盗難情報取得部と、
前記登録受付部が登録を受け付けた前記場所設定情報が示す録画不要場所が、前記盗難場所情報に示される車両の盗難場所である場合に警告信号を出力する通知部とを備えることを特徴とする請求項４記載のカーナビゲーション装置。
【請求項６】
車載カメラを用いた駐車中の録画を行わない録画不要場所が示された場所設定情報と、車両の現在位置情報とを用いて、前記録画不要場所に前記車両がいるか否かを判定する判定ステップと、
前記判定ステップにより、前記録画不要場所に前記車両がいないと判定された場合に、前記車載カメラを用いた駐車中の録画が行われるように制御する一方、前記判定ステップにより、前記録画不要場所に前記車両がいると判定された場合には、前記車載カメラを用いた駐車中の録画が行われないように制御する録画制御ステップとをコンピュータに実行させるためのプログラム。
【発明の詳細な説明】
【技術分野】
【０００１】
この発明は、車載カメラを制御する装置に関するものである。
【背景技術】
【０００２】
防犯等を目的として、駐車中に車両周辺を録画するための車載カメラが設けられることがある。車載カメラは、内蔵バッテリ又は車両バッテリからの電力供給を受ける。内蔵バッテリは、容量が小さく、長時間の録画が難しい。また、車両バッテリは、車両の使用頻度があまり高くない場合、充電の機会が少なくなるので、駐車中に録画が行われることでバッテリ上がりとなることがある。したがって、車載カメラを用いて駐車中の録画を行う場合、消費電力を抑えることが重要である。
そこで、例えば特許文献１には、マイクロ波センサを用いて車両と当該車両周辺に存在する人体又は物体との距離を検出し、当該距離に変化があった場合にのみ、ビデオカメラ部等へ電力供給を行って動作状態にさせる撮影装置が記載されている。
【先行技術文献】
【特許文献】
【０００３】
【特許文献１】特開２００４−２２４１６７号公報
【発明の概要】
【発明が解決しようとする課題】
【０００４】
しかしながら、上記特許文献１の撮影装置を用いる場合、通行量が多い場所等では、不審者だけに限らず車両と人体又は物体との距離の変化が頻繁に検出されるので、安全な状況であっても不必要にビデオカメラ部が動作状態となって、防犯上あまり意味の無い撮影のために電力が消費されてしまう。
【０００５】
この発明は、上記のような課題を解決するためになされたもので、不必要に駐車中の録画が行われることを抑えることができる車載カメラ制御装置を得ることを目的とする。
【課題を解決するための手段】
【０００６】
この発明に係る車載カメラ制御装置は、車載カメラを用いた駐車中の録画を行わない録画不要場所が示された場所設定情報と、車両の現在位置情報とを用いて、録画不要場所に車両がいるか否かを判定する判定部と、判定部により、録画不要場所に車両がいないと判定された場合に、車載カメラを用いた駐車中の録画が行われるように制御する一方、判定部により、録画不要場所に車両がいると判定された場合には、車載カメラを用いた駐車中の録画が行われないように制御する録画制御部とを備えることを特徴とするものである。
【発明の効果】
【０００７】
この発明によれば、録画不要場所に車両がいると判定された場合には、車載カメラを用いた駐車中の録画が行われないように制御するので、不必要に駐車中の録画が行われることを抑えることができる。
【図面の簡単な説明】
【０００８】
【図１】実施の形態１に係る車載カメラ制御装置を有したドライブレコーダの構成を示す図である。
【図２】図２Ａ及び図２Ｂは、外部メモリ読み書き部及び制御部のハードウェア構成例を示す図である。
【図３】ドライブレコーダによる処理の一例を示すフローチャートである。
【図４】実施の形態１に係る車載カメラ制御装置がカーナビゲーション装置に備えられた場合の構成を示す図である。
【図５】表示される確認画面の一例である。
【発明を実施するための形態】
【０００９】
実施の形態１． 
図１は、実施の形態１に係る車載カメラ制御装置を有したドライブレコーダ１の構成を示す図である。車両に搭載されたドライブレコーダ１は、ＧＰＳ（Ｇｌｏｂａｌ  Ｐｏｓｉｔｉｏｎｉｎｇ  Ｓｙｓｔｅｍ）受信部１１、カメラ部１２、外部メモリ読み書き部１３、制御部１４、操作部１５及びバッテリ部１６を有し、制御部１４が有する判定部１４ａ及び録画制御部１４ｂが車載カメラ制御装置を構成している。
【００１０】
ＧＰＳ受信部１１は、不図示のアンテナを介してＧＰＳ衛星からの電波を受信し、車両の現在位置情報と、現在時刻情報とを制御部１４へ出力する。
カメラ部１２は、車両周辺を撮影して、映像情報を生成する。カメラ部１２は、生成した映像情報を、制御部１４を介して外部メモリ読み書き部１３へ出力する。
【００１１】
外部メモリ読み書き部１３は、ＳＤカード２等の着脱可能な記録媒体からの情報の読出し、及び、当該記録媒体への情報の書込みを行う。外部メモリ読み書き部１３が、カメラ部１２により生成された映像情報をＳＤカード２等の記録媒体へ書き込むことで、車両周辺を映した映像が録画される。
【００１２】
制御部１４は、判定部１４ａ及び録画制御部１４ｂを有し、ドライブレコーダ１の各部を制御する。
判定部１４ａは、ＧＰＳ受信部１１が出力した現在位置情報と、不図示のメモリに記憶された場所設定情報とを用いて、録画不要場所に車両がいるか否かを判定する。場所設定情報は、カメラ部１２を用いた駐車中の録画を行わない録画不要場所を示した情報である。場所設定情報は、例えば、ユーザが操作部１５を操作して登録できるようになっている。例えば、ユーザの自宅等が録画不要場所として登録されることが考えられる。判定部１４ａによる判定結果は、録画制御部１４ｂへ出力される。
【００１３】
録画制御部１４ｂは、判定部１４ａの判定結果に応じて、カメラ部１２を用いた駐車中の録画が行われるように、または、カメラ部１２を用いた駐車中の録画が行われないように、カメラ部１２及び外部メモリ読み書き部１３等のドライブレコーダ１の各部を制御する。
【００１４】
操作部１５は、キーボタン又はタッチパネル等であり、ユーザの操作内容を示す操作情報を制御部１４へ出力する。
バッテリ部１６は、ドライブレコーダ１の各部へ電力を供給する。バッテリ部１６は、車両バッテリ３からの電力で充電される。また、車両バッテリ３は、周知のように車両のエンジンが動作することで充電されるバッテリである。
【００１５】
次に、ドライブレコーダ１のハードウェア構成例について説明する。ＧＰＳ受信部１１は、周知のＧＰＳ受信機で構成され、カメラ部１２は、撮像素子等を備えたカメラで構成される。操作部１５は、上記の通りキーボタン又はタッチパネル等である。外部メモリ読み書き部１３、また、制御部１４の判定部１４ａ及び録画制御部１４ｂのハードウェア構成例については、図２Ａ及び図２Ｂを用いて以下で説明する。
外部メモリ読み書き部１３、判定部１４ａ及び録画制御部１４ｂの各機能は、処理回路により実現される。当該処理回路は、専用のハードウェアであっても、メモリに格納されるプログラムを実行するＣＰＵ（Ｃｅｎｔｒａｌ  Ｐｒｏｃｅｓｓｉｎｇ  Ｕｎｉｔ）であってもよい。ＣＰＵは、中央処理装置、処理装置、演算装置、マイクロプロセッサ、マイクロコンピュータ、プロセッサ、又はＤＳＰ（Ｄｉｇｉｔａｌ  Ｓｉｇｎａｌ  Ｐｒｏｃｅｓｓｏｒ）とも呼ばれる。
【００１６】
図２Ａは、外部メモリ読み書き部１３、判定部１４ａ及び録画制御部１４ｂの各部の機能を、専用のハードウェアである処理回路１０１で実現した場合のハードウェア構成例を示す図である。処理回路１０１は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、若しくはＦＰＧＡ（Ｆｉｅｌｄ  Ｐｒｏｇｒａｍｍａｂｌｅ  Ｇａｔｅ  Ａｒｒａｙ）、又はこれらを組み合わせたものが該当する。外部メモリ読み書き部１３、判定部１４ａ及び録画制御部１４ｂの各部の機能を別個の処理回路１０１を組み合わせて実現してもよいし、各部の機能を１つの処理回路１０１で実現してもよい。
【００１７】
図２Ｂは、外部メモリ読み書き部１３、判定部１４ａ及び録画制御部１４ｂの各部の機能を、メモリ１０２に格納されるプログラムを実行するＣＰＵ１０３で実現した場合のハードウェア構成例を示す図である。この場合、外部メモリ読み書き部１３、判定部１４ａ及び録画制御部１４ｂの各部の機能は、ソフトウェア、ファームウェア、又はソフトウェアとファームウェアとの組合せにより実現される。ソフトウェア及びファームウェアはプログラムとして記述され、メモリ１０２に格納される。ＣＰＵ１０３は、メモリ１０２に格納されたプログラムを読み出して実行することにより、外部メモリ読み書き部１３、判定部１４ａ及び録画制御部１４ｂの各部の機能を実現する。すなわち、ドライブレコーダ１は、後述する図３のフローチャートで示すステップＳＴ１〜ＳＴ４の処理が結果的に実行されることになるプログラム等を格納するためのメモリ１０２を有する。また、これらのプログラムは、外部メモリ読み書き部１３、判定部１４ａ及び録画制御部１４ｂの各部の手順又は方法をコンピュータに実行させるものであるとも言える。ここで、メモリ１０２は、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  ＲＯＭ）、若しくはＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）等の、不揮発性若しくは揮発性の半導体メモリ、又は、磁気ディスク、フレキシブルディスク、光ディスク、コンパクトディスク、ミニディスク、若しくはＤＶＤ（Ｄｉｇｉｔａｌ  Ｖｅｒｓａｔｉｌｅ  Ｄｉｓｃ）等のディスク状の記録媒体等が該当する。
【００１８】
なお、外部メモリ読み書き部１３、判定部１４ａ及び録画制御部１４ｂの各部の機能について、一部を専用のハードウェアで実現し、一部をソフトウェア又はファームウェアで実現するようにしてもよい。例えば、外部メモリ読み書き部１３については専用のハードウェアとしての処理回路でその機能を実現し、判定部１４ａ及び録画制御部１４ｂについては処理回路がメモリに格納されたプログラムを読み出して実行することによってその機能を実現することが可能である。
【００１９】
このように、処理回路は、ハードウェア、ソフトウェア、ファームウェア又はこれらの組合せによって、上記の外部メモリ読み書き部１３、判定部１４ａ及び録画制御部１４ｂの各部の機能を実現することができる。
【００２０】
次に、上記のように構成されたドライブレコーダ１による処理の一例について、図３に示すフローチャートを用いて説明する。このフローチャートで示す処理は、ドライブレコーダ１が搭載された車両をユーザが駐車させた際に開始されるものである。車両が駐車させられたかは、エンジンの動作状態及びギアポジション等に基づき判定可能である。
【００２１】
判定部１４ａは、ＧＰＳ受信部１１から現在位置情報を取得し、また、不図示のメモリから場所設定情報を取得する（ステップＳＴ１）。
続いて、判定部１４ａは、現在位置情報と場所設定情報とを用いて、録画不要場所に車両がいるか否かを判定する（ステップＳＴ２）。場所設定情報には、カメラ部１２を用いた駐車中の録画を行わない録画不要場所が列挙されており、判定部１４ａは、当該場所設定情報の中に現在位置情報が示す場所が含まれているか否かを判定する。
【００２２】
場所設定情報の中に現在位置情報が示す場所が含まれている場合、つまり、録画不要場所に車両がいる場合（ステップＳＴ２；ＹＥＳ）、録画制御部１４ｂは、バッテリ部１６からドライブレコーダ１の各部への電力供給を絶ち、駐車中にカメラ部１２を用いた録画が行われないように制御する（ステップＳＴ３）。この状態は、次に車両が使用されるまで維持されて、駐車中は録画が行われることはない。なお、場所設定情報に示された録画不要場所と車両の現在位置とが厳密に一致していなくても、場所設定情報に示された録画不要場所から設定距離以内の場所に車両がいる場合には、録画不要場所に車両がいると判定されるようにしてもよい。
【００２３】
一方、場所設定情報の中に現在位置情報が示す場所が含まれていない場合、つまり、録画不要場所に車両がいない場合（ステップＳＴ２；ＮＯ）、録画制御部１４ｂは、カメラ部１２及び外部メモリ読み書き部１３等、録画処理に必要な各部への電源供給をバッテリ部１６から行わせるとともに、カメラ部１２に車両周辺を撮影させ、外部メモリ読み書き部１３にカメラ部１２により生成された映像情報をＳＤカード２へ書き込ませる。このようにして録画制御部１４ｂは、駐車中にカメラ部１２を用いた録画が行われるように制御する（ステップＳＴ４）。この状態は、次に車両が使用されるまで維持されて、駐車中は録画が行われ続ける。
【００２４】
このように、ドライブレコーダ１は、録画不要場所ではない場所に車両が駐車された場合は録画を行うが、録画不要場所に車両が駐車された場合は録画を行わない。不審者だけに限らず車両と人体又は物体との距離が変化すると動作状態になってしまうような、周辺環境の影響を受けやすい従来の撮影装置とは違って、場所に応じて録画の有無が決まるので、不必要に録画が行われることを抑えることができ、防犯上あまり意味の無い録画のために電力が消費されるのを抑えることができる。
【００２５】
なお、制御部１４は、時刻を加味して録画の制御を行ってもよい。この場合、録画不要時刻が示された時刻設定情報が不図示のメモリに記憶され、判定部１４ａは、場所設定情報を用いた判定に加え、時刻設定情報を用いた判定を行う。録画不要時刻は、カメラ部１２を用いた駐車中の録画を行わない時刻である。判定部１４ａは、現在が録画不要時刻であるか否かを判定する。判定部１４ａは、現在の時刻を、例えばＧＰＳ受信部１１が出力する現在時刻情報を用いて知ることができる。
【００２６】
そして、録画制御部１４ｂは、録画不要場所に車両がいると判定された場合であっても、現在が録画不要時刻でないと判定された場合はカメラ部１２を用いた駐車中の録画が行われるように制御し、録画不要場所に車両がいると判定された場合であって、現在が録画不要時刻であると判定された場合はカメラ部１２を用いた駐車中の録画が行われないように制御する。このようにすると、自宅等のユーザが録画不要場所と考えるような比較的安全な場所に一日中駐車している場合であっても、例えば昼間は録画を行わずに電力消費を抑え、夜間は録画を行って防犯性を高めるということができる。なお、時刻設定情報は、例えば、ユーザが操作部１５を操作して登録できるようになっている。
【００２７】
また、上記では、場所設定情報及び時刻設定情報が、操作部１５を介して登録されるとした。しかしながら、場所設定情報及び時刻設定情報のうちの一方又は両方が、外部メモリ読み書き部１３が処理の対象とするＳＤカード２等の着脱可能な記録媒体に記憶されており、判定部１４ａは、外部メモリ読み書き部１３を介して当該記録媒体から場所設定情報及び時刻設定情報のうちの一方又は両方を取得するようにしてもよい。ユーザは、図１に示すパソコン４を用いて、ＳＤカード２に場所設定情報及び時刻設定情報等を書き込むことができる。
【００２８】
また、上記では、ドライブレコーダ１のカメラ部１２が、駐車時の監視用に使われるものであり車載カメラ制御装置の制御対象であるとしたが、ドライブレコーダ１のカメラ部１２に限らず駐車時の監視用に使用可能な車載カメラであれば、車載カメラ制御装置の制御対象とすることができる。
【００２９】
また、図３のフローチャートを用いた説明では、場所設定情報に録画不要場所が列挙されているとした。例えば、自宅に駐車中は録画不要とユーザが考える場合、自宅の緯度経度等、自宅の場所に関する情報が場所設定情報に記載される。しかしながら、場所設定情報は、駐車中の録画が必要とユーザが考える場所が列挙されたものであってもよい。この場合、判定部１４ａは、場所設定情報に列挙された場所以外の場所を一括に録画不要場所として扱う。要は、場所設定情報は、録画は不要とされる場所を列挙して直接的に録画不要場所を示しているものであってもよいし、録画が必要とされる場所を列挙して間接的に録画不要場所を示しているものであってもよい。時刻設定情報に関しても同様である。
【００３０】
また、図４は、実施の形態１に係る車載カメラ制御装置を構成する制御部１４の中の判定部１４ａ及び録画制御部１４ｂが、判定部５２ａ及び録画制御部５２ｂとしてカーナビゲーション装置５に備えられた場合の変形例を示す図である。この変形例の場合、ドライブレコーダ１Ａの制御部１４は、カーナビゲーション装置５からの指示信号を受けて、カメラ部１２及び外部メモリ読み書き部１３等を制御する。
カーナビゲーション装置５は、ＧＰＳ受信部５１、制御部５２、操作部５３、表示部５４及び盗難情報取得部５５を有する。
【００３１】
ＧＰＳ受信部５１は、ＧＰＳ受信部１１と同様に、不図示のアンテナを介してＧＰＳ衛星からの電波を受信し、車両の現在位置情報と、現在時刻情報とを制御部５２へ出力する。
制御部５２は、判定部５２ａ、録画制御部５２ｂ、登録受付部５２ｃ及び通知部５２ｄを有し、カーナビゲーション装置５の各部を制御する。なお、制御部５２は、カーナビゲーションの分野において一般的に知られた処理であるルート検索及び目的地までの案内等の処理も行うが、それら一般的に知られた処理を担う構成については、図示及び説明を省略する。
【００３２】
判定部５２ａは、既に説明した判定部１４ａと同様の判定処理を行う。判定部５２ａによる判定結果は、録画制御部５２ｂへ出力される。
録画制御部５２ｂは、判定部５２ａによる判定結果に応じて、既に説明した録画制御部１４ｂと同様の制御処理を行う。録画制御部５２ｂは、ドライブレコーダ１Ａの制御部１４へ指示信号を出力することで間接的にカメラ部１２及び外部メモリ読み書き部１３等を制御して、録画を制御する。
【００３３】
登録受付部５２ｃは、操作部５３が出力する操作情報を用いて、場所設定情報又は時刻設定情報の登録を受け付ける。
通知部５２ｄは、表示画面を示した警告信号を表示部５４へ出力する。
【００３４】
操作部５３は、キーボタン又はタッチパネル等であり、ユーザの操作内容を示す操作情報を制御部５２へ出力する。
表示部５４は、液晶ディスプレイ等であり、通知部５２ｄが出力した警告信号が示す画面を表示する。
【００３５】
盗難情報取得部５５は、車両の盗難場所が示された盗難場所情報を取得して、制御部５２へ出力する。通知部５２ｄは、ユーザが操作部５３を介して場所設定情報を登録する際に、登録受付部５２ｃが登録を受け付けた場所設定情報が示す録画不要場所が、盗難場所情報に示される車両の盗難場所である場合に、注意を促す確認画面を示した警告信号を表示部５４へ出力する。図５は、当該確認画面の一例である。なお、通知部５２ｄは、出力音声を示した警告信号を不図示のスピーカへ出力し、音声による注意喚起を行うようにしてもよい。盗難情報取得部５５は、Ｗｉ−Ｆｉ又はＬＴＥ（Ｌｏｎｇ  Ｔｅｒｍ  Ｅｖｏｌｕｔｉｏｎ）等に対応した通信デバイスであり、車両の盗難が多発している場所に関する情報を、インターネットを介して盗難場所情報として取得する。
【００３６】
なお、制御部５２の判定部５２ａ、録画制御部５２ｂ、登録受付部５２ｃ及び通知部５２ｄは、前述の図２Ａに示したような処理回路１０１、又は、図２Ｂに示したようなメモリ１０２及びＣＰＵ１０３で実現することができる。
また、図１に示したドライブレコーダ１と同様に、カーナビゲーション装置５においてもＳＤカード２等の着脱可能な記録媒体を読み書き可能な構成を備え、判定部５２ａが、当該記録媒体から場所設定情報及び時刻設定情報等を取得できるようにしてもよい。
【００３７】
このように、カーナビゲーション装置５を介して駐車中の録画が制御されるように構成してもよい。
【００３８】
また、車載カメラ制御装置を車両外部のサーバ内に構築し、当該サーバが車両から現在位置情報及び場所設定情報等を受信して駐車中に録画を行うか否かを判定し、カメラ部１２を用いた録画を遠隔で制御するようにしてもよい。
また、車両外部のサーバが、車両から現在位置情報及び場所設定情報等を受信して判定部１４ａに相当する判定処理を行い、判定結果を車両側へ送信するなどして、車載カメラ制御装置が車両側と車両外部のサーバ側とに分散して設けられるようにしてもよい。
【００３９】
以上のように、この実施の形態１に係る車載カメラ制御装置によれば、録画不要場所に車両がいると判定された場合には、カメラ部１２を用いた駐車中の録画が行われないように制御するので、不必要に駐車中の録画が行われることを抑えることができる。これにより、使用頻度があまり高くない車両でのバッテリ上がりを抑えることができる。また、バッテリ部１６の小型化も可能となる。そして、場所設定情報がひとたび登録されれば、車載カメラ制御装置により自動で駐車中の録画が制御されるので、駐車するたびにユーザが録画のオンオフを手動で切り替えるような煩雑さも無い。
【００４０】
また、判定部１４ａは、ＳＤカード２等の着脱可能な記録媒体から記場所設定情報を取得することとした。このようにすると、ユーザは、記録媒体への情報の書込みが可能なパソコン４等の操作により、場所設定情報を登録することができる。
【００４１】
また、判定部１４ａは、カメラ部１２を用いた駐車中の録画を行わない録画不要時刻が示された時刻設定情報を用いて、現在が録画不要時刻であるか否かを判定し、録画制御部１４ｂは、判定部１４ａにより、録画不要場所に車両がいると判定された場合かつ現在が録画不要時刻であると判定された場合に、カメラ部１２を用いた駐車中の録画が行われないように制御することとした。このようにすると、車載カメラ制御装置は、時刻も加味しての録画制御が可能となる。
【００４２】
また、カーナビゲーション装置５が、車載カメラ制御装置と、場所設定情報の登録を受け付ける登録受付部５２ｃとを備えることとした。このようにすると、ユーザは、カーナビゲーション装置５を操作して場所設定情報を登録することができる。
【００４３】
また、車両の盗難場所が示された盗難場所情報を取得する盗難情報取得部５５と、登録受付部５２ｃが登録を受け付けた場所設定情報が示す録画不要場所が、盗難場所情報に示される車両の盗難場所である場合に警告信号を出力する通知部５２ｄとを備えることとした。このようにすると、車両の盗難が多発している場所が誤って録画不要場所として登録されてしまうことを防ぐことができる。
【００４４】
なお、本願発明はその発明の範囲内において、実施の形態の任意の構成要素の変形、もしくは実施の形態の任意の構成要素の省略が可能である。
【符号の説明】
【００４５】
１，１Ａ  ドライブレコーダ、２  ＳＤカード、３  車両バッテリ、４  パソコン、５  カーナビゲーション装置、１１  ＧＰＳ受信部、１２  カメラ部、１３  外部メモリ読み書き部、１４  制御部、１４ａ  判定部、１４ｂ  録画制御部、１５  操作部、１６  バッテリ部、５１  ＧＰＳ受信部、５２  制御部、５２ａ  判定部、５２ｂ  録画制御部、５２ｃ  登録受付部、５２ｄ  通知部、５３  操作部、５４  表示部、５５  盗難情報取得部、１０１  処理回路、１０２  メモリ、１０３  ＣＰＵ。
【図１】
2018200612.tif 000003
【図２】
2018200612.tif 000004
【図３】
2018200612.tif 000005
【図４】
2018200612.tif 000006
【図５】
2018200612.tif 000007